(57)【要約】【課題】携帯情報端末の内部データが漏洩するのを確実に防止する。【解決手段】通信手段(100)で外部からのデータ漏洩防止信号を受信した時に、携帯情報端末(10)内のデータ漏洩防止手段(180) によってデータ漏洩防止信号に応じて上記データ記憶手段(130)内のデータの消去、データ記憶手段内のデータの読出の禁止あるいはデータ記憶手段内のデータの表示又は出力の禁止のいずれかの動作を選択して実行する。データの消去、データの読出禁止、データの表示又は出力の禁止のいずれか１つを実行するデータ漏洩防止手段を携帯情報端に搭載しておいてもよく、必要な時にダウンロードして実行させるようにしてもよい。【選択図】  図３
2004201043.tif 000002
【特許請求の範囲】
【請求項１】
データ処理装置又は他の携帯情報端末との間で信号又はデータを送受信し、所定の演算処理を行うとともにデータを表示し又は出力する一方、必要に応じて内部のデータの漏洩を防止できるようにした携帯情報端末であって、
データ処理装置又は他の携帯情報端末との間で通信を行う通信手段と、
データを記憶するデータ記憶手段と、
該データ記憶手段からデータを読み出すデータ読出手段と、
上記読み出したデータあるいは受信したデータ又は信号に対して所定の演算処理を実行する演算処理手段と、
上記読み出されあるいは演算処理されたデータを表示し又は出力するデータ出力手段と、
上記通信手段が外部からのデータ漏洩防止信号を受信した時に、上記データ漏洩防止信号に応じて上記データ記憶手段内のデータの消去、上記データ記憶手段内のデータの読出の禁止あるいは上記データ記憶手段内のデータの表示又は出力の禁止のいずれかの動作を選択して実行するデータ漏洩防止手段と、
を備えたことを特徴とする携帯情報端末。
【請求項２】
データ処理装置又は他の携帯情報端末との間で信号又はデータを送受信し、所定の演算処理を行うとともにデータを表示し又は出力する一方、必要に応じて内部のデータの漏洩を防止できるようにした携帯情報端末であって、
データ処理装置又は他の携帯情報端末との間で通信を行う通信手段と、
データを記憶するデータ記憶手段と、
該データ記憶手段からデータを読み出すデータ読出手段と、
上記読み出したデータあるいは受信したデータ又は信号に対して所定の演算処理を実行する演算処理手段と、
上記読み出されあるいは演算処理されたデータを表示し又は出力するデータ出力手段と、
上記通信手段が外部からのデータ漏洩防止信号を受信した時に、上記データ漏洩防止信号に応じて上記データ記憶手段内のデータの消去又は上記データ記憶手段内のデータの読出の禁止のいずれかの動作を選択して実行するデータ漏洩防止手段と、
を備えたことを特徴とする携帯情報端末。
【請求項３】
データ処理装置又は他の携帯情報端末との間で信号又はデータを送受信し、所定の演算処理を行うとともにデータを表示し又は出力する一方、必要に応じて内部のデータの漏洩を防止できるようにした携帯情報端末であって、
データ処理装置又は他の携帯情報端末との間で通信を行う通信手段と、
データを記憶するデータ記憶手段と、
該データ記憶手段からデータを読み出すデータ読出手段と、
上記読み出したデータあるいは受信したデータ又は信号に対して所定の演算処理を実行する演算処理手段と、
上記読み出されあるいは演算処理されたデータを表示し又は出力するデータ出力手段と、
上記通信手段が外部からのデータ漏洩防止信号を受信した時に、上記データ漏洩防止信号に応じて上記データ記憶手段内のデータの消去又はデータ記憶手段内のデータの表示又は出力の禁止のいずれかの動作を選択して実行するデータ漏洩防止手段と、
を備えたことを特徴とする携帯情報端末。
【請求項４】
データ処理装置又は他の携帯情報端末との間で信号又はデータを送受信し、所定の演算処理を行うとともにデータを表示し又は出力する一方、必要に応じて内部のデータの漏洩を防止できるようにした携帯情報端末であって、
データ処理装置又は他の携帯情報端末との間で通信を行う通信手段と、
データを記憶するデータ記憶手段と、
該データ記憶手段からデータを読み出すデータ読出手段と、
上記読み出したデータあるいは受信したデータ又は信号に対して所定の演算処理を実行する演算処理手段と、
上記読み出されあるいは演算処理されたデータを表示し又は出力するデータ出力手段と、
上記データ記憶手段内のデータを消去するデータ漏洩防止手段と、
を備えたことを特徴とする携帯情報端末。
【請求項５】
データ処理装置又は他の携帯情報端末との間で信号又はデータを送受信し、所定の演算処理を行うとともにデータを表示し又は出力する一方、必要に応じて内部のデータの漏洩を防止できるようにした携帯情報端末であって、
データ処理装置又は他の携帯情報端末との間で通信を行う通信手段と、
データを記憶するデータ記憶手段と、
該データ記憶手段からデータを読み出すデータ読出手段と、
上記読み出したデータあるいは受信したデータ又は信号に対して所定の演算処理を実行する演算処理手段と、
上記読み出されあるいは演算処理されたデータを表示し又は出力するデータ出力手段と、
上記データ記憶手段内のデータの読出を禁止するデータ漏洩防止手段と、
を備えたことを特徴とする携帯情報端末。
【請求項６】
データ処理装置又は他の携帯情報端末との間で信号又はデータを送受信し、所定の演算処理を行うとともにデータを表示し又は出力する一方、必要に応じて内部のデータの漏洩を防止できるようにした携帯情報端末であって、
データ処理装置又は他の携帯情報端末との間で通信を行う通信手段と、
データを記憶するデータ記憶手段と、
該データ記憶手段からデータを読み出すデータ読出手段と、
上記読み出したデータあるいは受信したデータ又は信号に対して所定の演算処理を実行する演算処理手段と、
上記読み出されあるいは演算処理されたデータを表示し又は出力するデータ出力手段と、
上記データ記憶手段内のデータの表示又は出力を禁止するデータ漏洩防止手段と、
を備えたことを特徴とする携帯情報端末。
【請求項７】
データ処理装置又は他の携帯情報端末との間で通信を行う通信手段、データを記憶するデータ記憶手段、データ記憶手段からデータを読み出すデータ読出手段、読み出したデータあるいは受信したデータ又は信号に対して所定の演算処理を実行する演算処理手段、及び読み出されあるいは演算処理されたデータを表示し又は出力するデータ出力手段を備え、データ処理装置又は他の携帯情報端末との間でデータを送受信する一方、所定の演算処理を行うとともにデータを表示し又は出力するようにした携帯情報端末において該携帯情報端末を、必要に応じて内部データの漏洩を防止できるように制御するデータ漏洩防止プログラムであって、
上記携帯情報端末を、
上記通信手段が外部からのデータ漏洩防止信号を受信した時に、上記データ漏洩防止信号に応じて上記データ記憶手段内のデータの消去、上記データ記憶手段内のデータの読出の禁止あるいは上記データ記憶手段内のデータの表示又は出力の禁止のいずれかの動作を選択して実行するデータ漏洩防止手段、として機能させるようになしたことを特徴とする携帯情報端末のデータ漏洩防止プログラム。
【請求項８】
データ処理装置又は他の携帯情報端末との間で通信を行う通信手段、データを記憶するデータ記憶手段、データ記憶手段からデータを読み出すデータ読出手段、読み出したデータあるいは受信したデータ又は信号に対して所定の演算処理を実行する演算処理手段、及び読み出されあるいは演算処理されたデータを表示し又は出力するデータ出力手段を備え、データ処理装置又は他の携帯情報端末との間でデータを送受信する一方、所定の演算処理を行うとともにデータを表示し又は出力するようにした携帯情報端末において該携帯情報端末を、必要に応じて内部データの漏洩を防止できるように制御するデータ漏洩防止プログラムであって、
上記携帯情報端末を、
上記通信手段が外部からのデータ漏洩防止信号を受信した時に、上記データ漏洩防止信号に応じて上記データ記憶手段内のデータの消去又は上記データ記憶手段内のデータの読出の禁止のいずれかの動作を選択して実行するデータ漏洩防止手段、として機能させるようになしたことを特徴とする携帯情報端末のデータ漏洩防止プログラム。
【請求項９】
データ処理装置又は他の携帯情報端末との間で通信を行う通信手段、データを記憶するデータ記憶手段、データ記憶手段からデータを読み出すデータ読出手段、読み出したデータあるいは受信したデータ又は信号に対して所定の演算処理を実行する演算処理手段、及び読み出されあるいは演算処理されたデータを表示し又は出力するデータ出力手段を備え、データ処理装置又は他の携帯情報端末との間でデータを送受信する一方、所定の演算処理を行うとともにデータを表示し又は出力するようにした携帯情報端末において該携帯情報端末を、必要に応じて内部のデータの漏洩を防止できるように制御するデータ漏洩防止プログラムであって、
上記携帯情報端末を、
上記通信手段が外部からのデータ漏洩防止信号を受信した時に、上記データ漏洩防止信号に応じて上記データ記憶手段内のデータの消去又は上記データ記憶手段内のデータの表示又は出力の禁止のいずれかの動作を選択して実行するデータ漏洩防止手段、として機能させるようになしたことを特徴とする携帯情報端末のデータ漏洩防止プログラム。
【請求項１０】
データ処理装置又は他の携帯情報端末との間で通信を行う通信手段、データを記憶するデータ記憶手段、データ記憶手段からデータを読み出すデータ読出手段、読み出したデータあるいは受信したデータ又は信号に対して所定の演算処理を実行する演算処理手段、及び読み出されあるいは演算処理されたデータを表示し又は出力するデータ出力手段を備え、データ処理装置又は他の携帯情報端末との間でデータを送受信する一方、所定の演算処理を行うとともにデータを表示し又は出力するようにした携帯情報端末において該携帯情報端末を、必要に応じて内部のデータの漏洩を防止できるように制御するデータ漏洩防止プログラムであって、
上記携帯情報端末を、
上記データ記憶手段内のデータを消去するデータ漏洩防止手段、として機能させるようになしたことを特徴とする携帯情報端末のデータ漏洩防止プログラム。
【請求項１１】
データ処理装置又は他の携帯情報端末との間で通信を行う通信手段、データを記憶するデータ記憶手段、データ記憶手段からデータを読み出すデータ読出手段、読み出したデータあるいは受信したデータ又は信号に対して所定の演算処理を実行する演算処理手段、及び読み出されあるいは演算処理されたデータを表示し又は出力するデータ出力手段を備え、データ処理装置又は他の携帯情報端末との間でデータを送受信する一方、所定の演算処理を行うとともにデータを表示し又は出力するようにした携帯情報端末において該携帯情報端末を、必要に応じて内部のデータの漏洩を防止できるように制御するデータ漏洩防止プログラムであって、
上記携帯情報端末を、
上記データ記憶手段内のデータの読出を禁止するデータ漏洩防止手段、として機能させるようになしたことを特徴とする携帯情報端末のデータ漏洩防止プログラム。
【請求項１２】
データ処理装置又は他の携帯情報端末との間で通信を行う通信手段、データを記憶するデータ記憶手段、データ記憶手段からデータを読み出すデータ読出手段、読み出したデータあるいは受信したデータ又は信号に対して所定の演算処理を実行する演算処理手段、及び読み出されあるいは演算処理されたデータを表示し又は出力するデータ出力手段を備え、データ処理装置又は他の携帯情報端末との間でデータを送受信する一方、所定の演算処理を行うとともにデータを表示し又は出力するようにした携帯情報端末において該携帯情報端末を、必要に応じて内部のデータの漏洩を防止できるように制御するデータ漏洩防止プログラムであって、
上記携帯情報端末を、
上記データ記憶手段内のデータの表示又は出力を禁止するデータ漏洩防止手段、として機能させるようになしたことを特徴とする携帯情報端末のデータ漏洩防止プログラム。
【発明の詳細な説明】
【０００１】
【発明の属する技術分野】
本発明は携帯情報端末に関し、特に内部データが漏洩するのを確実に防止できるようにした端末に関する。
【０００２】
【従来の技術】
最近の電子通信技術の発展に伴い、携帯電話、携帯ＦＡＸ、ポケットＰＣあるいはＰＤＡといった携帯情報端末が飛躍的に普及するようになった。かかる携帯情報端末はその簡便な携帯性に起因し、紛失しあるいは盗難に遭遇する危険性がある。紛失や盗難が発生した場合、携帯情報端末内の個人情報や業務情報等のデータが漏洩し、プライバシーの侵害や業務情報の漏洩による経済的な損失が懸念される。
【０００３】
そこで、携帯情報端末に施錠装置を設け、施錠放置を破壊しあるいは抜き取った時に機構的にＲＡＭ電源を強制的に遮断し、データを使用できないようにした方式（特許文献１、参照）、ＩＤカードと携帯情報端末との間で信号を送受信して使用者が認証されない限り、電源がＯＦＦのままで携帯情報端末を使用できないようにした方式（特許文献２、参照）、携帯情報端末内のデータを暗号化する一方、外部装置からの信号によって携帯情報端末内の暗号化情報を消去し、データを復号化できないようにした方式（特許文献３、参照）、が提案されている。
【０００４】
【特許文献１】特開２０００−３０５８５２号公報
【特許文献２】特開平０９−９８４８０号公報
【特許文献３】特開平０８−２７２７４２号公報
【０００５】
ところで、最近は携帯情報端末が安価になり、新しい携帯情報端末を簡単に購入することができるようになってきた。したがって、携帯情報端末の使用者にとって大切なものは端末自体ではなく、端末内のデータであることが多い。
【０００６】
【発明が解決しようとする課題】
しかるに、上記従来公報記載の方式はデータ漏洩の防止に複雑な機構やシステムを用いているので、最近の安価な携帯情報端末には採用し難い。
【０００７】
本発明は、かかる点に鑑み、内部データの漏洩を簡単に防止できるようにした携帯情報端末を提供することを課題とする。
【０００８】
【課題を解決するための手段】
そこで、本発明に係る携帯情報端末は、データ処理装置又は他の携帯情報端末との間で信号又はデータを送受信し、所定の演算処理を行うとともにデータを表示し又は出力する一方、必要に応じて内部のデータの漏洩を防止できるようにした携帯情報端末であって、データ処理装置又は他の携帯情報端末との間で通信を行う通信手段と、データを記憶するデータ記憶手段と、該データ記憶手段からデータを読み出すデータ読出手段と、上記読み出したデータあるいは受信したデータ又は信号に対して所定の演算処理を実行する演算処理手段と、上記読み出されあるいは演算処理されたデータを表示し又は出力するデータ出力手段と、上記通信手段が外部からのデータ漏洩防止信号を受信した時に、上記データ漏洩防止信号に応じて上記データ記憶手段内のデータの消去、上記データ記憶手段内のデータの読出の禁止あるいは上記データ記憶手段内のデータの表示又は出力の禁止のいずれかの動作を選択して実行するデータ漏洩防止手段と、を備えたことを特徴とする。
【０００９】
本発明の特徴の１つは携帯情報端末内にデータ漏洩防止手段を設け、外部から携帯情報端末にデータ漏洩防止信号を与えると、データを消去し、データの読出を禁止し、あるいはデータの表示又は出力を禁止するという動作を選択して実行できるようにした点にある。
【００１０】
これにより、携帯情報端末を紛失しあるいは携帯情報端末の盗難にあったときには他の携帯情報端末やデータ処理装置からデータ漏洩防止信号を紛失し又は盗難にあった携帯情報端末に送信すると、携帯情報端末内のデータが消去されあるいは携帯情報端末内のデータに外部からアクセスできなくなるので、データが漏洩し不正に使用されるおそれを確実に解消できる。
【００１１】
また、データを消去し、データの読出を禁止し、あるいはデータ表示又は出力を禁止するだけであるので、上記従来公報記載の方式のように複雑な機構やシステムを必要とせず、携帯情報端末内のＣＰＵをデータ漏洩防止手段として機能させる簡単なプログラムを携帯情報端末に搭載するだけで対応できる。
【００１２】
さらに、端末内部のデータを消去するとデータを再使用できないが、携帯情報端末内のデータへの外部からのアクセスを禁止するとその禁止を解除することによって再使用できる。本発明ではデータ漏洩防止の方法を選択できるので、紛失しあるいは盗難にあった携帯情報端末が手元に戻ってきた時に携帯情報端末を再使用するかあるいはデータ漏洩による損失を確実に防止するかを選択できる。
【００１３】
また、携帯情報端末内のデータをデータ処理装置や他の携帯情報端末に送信した後、データを消去し、データの読出を禁止し、あるいはデータの表示又は出力を禁止するようにしてもよい。即ち、データ漏洩防止手段は消去、読出禁止あるいは表示・出力禁止に先立って、携帯情報端末内のデータをデータ処理装置や他の携帯情報端末に送信するように構成することもできる。
【００１４】
ここで、「データの消去」とは携帯情報端末内のデータ記憶手段のデータを読出不可能なデータ状態にすることをいう。また、「データの読出の禁止」はデータ読出手段自体の動作を禁止する場合、データ読出手段は動作するがデータ記憶手段から読み出せないようにする場合のいずれであってもよい。さらに、「データの表示・出力の禁止」とはデータ出力手段自体の動作を禁止する場合、データ出力手段への読出データの入力を禁止する場合のいずれであってもよい。
【００１５】
また、データ出力手段はディスプレイ等、表示を行うものでもよく、ＦＡＸやプリンター等、担体にデータを印字又は印刷して出力するものでもよい。
【００１６】
上記ではデータの消去、データの読出の禁止及びデータ表示又は出力の禁止の３つの動作から選択できるようにしたが、データの消去とデータの読出の禁止又はデータ表示又は出力の禁止の２つの動作から選択できるようにしてもよい。
【００１７】
即ち、本発明に係る携帯情報端末は、データ処理装置又は他の携帯情報端末との間で信号又はデータを送受信し、所定の演算処理を行うとともにデータを表示し又は出力する一方、必要に応じて内部のデータの漏洩を防止できるようにした携帯情報端末であって、データ処理装置又は他の携帯情報端末との間で通信を行う通信手段と、データを記憶するデータ記憶手段と、該データ記憶手段からデータを読み出すデータ読出手段と、上記読み出したデータあるいは受信したデータ又は信号に対して所定の演算処理を実行する演算処理手段と、上記読み出されあるいは演算処理されたデータを表示し又は出力するデータ出力手段と、上記通信手段が外部からのデータ漏洩防止信号を受信した時に、上記データ漏洩防止信号に応じて上記データ記憶手段内のデータの消去又は上記データ記憶手段内のデータの読出の禁止のいずれかの動作を選択して実行するデータ漏洩防止手段と、を備えたことを特徴とする。
【００１８】
また、本発明に係る携帯情報端末は、データ処理装置又は他の携帯情報端末との間で信号又はデータを送受信し、所定の演算処理を行うとともにデータを表示し又は出力する一方、必要に応じて内部のデータの漏洩を防止できるようにした携帯情報端末であって、データ処理装置又は他の携帯情報端末との間で通信を行う通信手段と、データを記憶するデータ記憶手段と、該データ記憶手段からデータを読み出すデータ読出手段と、上記読み出したデータあるいは受信したデータ又は信号に対して所定の演算処理を実行する演算処理手段と、上記読み出されあるいは演算処理されたデータを表示し又は出力するデータ出力手段と、上記通信手段が外部からのデータ漏洩防止信号を受信した時に、上記データ漏洩防止信号に応じて上記データ記憶手段内のデータの消去又はデータ記憶手段内のデータの表示又は出力の禁止のいずれかの動作を選択して実行するデータ漏洩防止手段と、を備えたことを特徴とする。
【００１９】
また、上記ではデータの消去、データの読出の禁止及びデータ表示又は出力の禁止の３つの動作から選択できるようにしたが、いずれか１つの動作のみを実行できるようにしてもよい。
【００２０】
即ち、本発明に係る携帯情報端末は、データ処理装置又は他の携帯情報端末との間で信号又はデータを送受信し、所定の演算処理を行うとともにデータを表示し又は出力する一方、必要に応じて内部のデータの漏洩を防止できるようにした携帯情報端末であって、データ処理装置又は他の携帯情報端末との間で通信を行う通信手段と、データを記憶するデータ記憶手段と、該データ記憶手段からデータを読み出すデータ読出手段と、上記読み出したデータあるいは受信したデータ又は信号に対して所定の演算処理を実行する演算処理手段と、上記読み出されあるいは演算処理されたデータを表示し又は出力するデータ出力手段と、上記データ記憶手段内のデータを消去するデータ漏洩防止手段と、を備えたことを特徴とする。
【００２１】
また、本発明に係る携帯情報端末は、データ処理装置又は他の携帯情報端末との間で信号又はデータを送受信し、所定の演算処理を行うとともにデータを表示し又は出力する一方、必要に応じて内部のデータの漏洩を防止できるようにした携帯情報端末であって、データ処理装置又は他の携帯情報端末との間で通信を行う通信手段と、データを記憶するデータ記憶手段と、該データ記憶手段からデータを読み出すデータ読出手段と、上記読み出したデータあるいは受信したデータ又は信号に対して所定の演算処理を実行する演算処理手段と、上記読み出されあるいは演算処理されたデータを表示し又は出力するデータ出力手段と、上記データ記憶手段内のデータの読出を禁止するデータ漏洩防止手段と、を備えたことを特徴とする。
【００２２】
さらに、本発明に係る携帯情報端末は、データ処理装置又は他の携帯情報端末との間で信号又はデータを送受信し、所定の演算処理を行うとともにデータを表示し又は出力する一方、必要に応じて内部のデータの漏洩を防止できるようにした携帯情報端末であって、データ処理装置又は他の携帯情報端末との間で通信を行う通信手段と、データを記憶するデータ記憶手段と、該データ記憶手段からデータを読み出すデータ読出手段と、上記読み出したデータあるいは受信したデータ又は信号に対して所定の演算処理を実行する演算処理手段と、上記読み出されあるいは演算処理されたデータを表示し又は出力するデータ出力手段と、上記データ記憶手段内のデータの表示又は出力を禁止するデータ漏洩防止手段と、を備えたことを特徴とする。
【００２３】
データ記憶手段は公知の記憶手段、例えばハードディスク（ＨＤ）やメモリ等で構築できる。データ読出手段、演算処理手段及びデータ漏洩防止手段は公知の演算処理手段、例えばマイクロ演算処理ユニット（ＭＰＵ）や中央演算処理ユニット（ＣＰＵ）で構築することができる。さらに、データ出力手段は公知の演算処理手段、例えばマイクロ演算処理ユニット（ＭＰＵ）や中央演算処理ユニット（ＣＰＵ）と公知の表示手段、例えばディスプレイあるいは公知の出力手段、例えばプリンターとで構築することができる。また、通信手段は公知の演算処理手段、例えばＭＰＵやＣＰＵと公知の通信手段、例えば無線送受信器等で構築することができる。
【００２４】
また、公知の携帯情報端末にプログラムをインストールすることによって本発明に係る携帯情報端末を実現することができる。即ち、本発明によれば上述の携帯情報端末を実現するデータ漏洩防止プログラムを提供することができる。
【００２５】
即ち、本発明に係る携帯情報端末のデータ漏洩防止プログラムは、データ処理装置又は他の携帯情報端末との間で通信を行う通信手段、データを記憶するデータ記憶手段、データ記憶手段からデータを読み出すデータ読出手段、読み出したデータあるいは受信したデータ又は信号に対して所定の演算処理を実行する演算処理手段、及び読み出されあるいは演算処理されたデータを表示し又は出力するデータ出力手段を備え、データ処理装置又は他の携帯情報端末との間でデータを送受信する一方、所定の演算処理を行うとともにデータを表示し又は出力するようにした携帯情報端末において該携帯情報端末を、必要に応じて内部データの漏洩を防止できるように制御するデータ漏洩防止プログラムであって、上記携帯情報端末を、上記通信手段が外部からのデータ漏洩防止信号を受信した時に、上記データ漏洩防止信号に応じて上記データ記憶手段内のデータの消去、上記データ記憶手段内のデータの読出の禁止あるいは上記データ記憶手段内のデータの表示又は出力の禁止のいずれかの動作を選択して実行するデータ漏洩防止手段、として機能させるようになしたことを特徴とする。
【００２６】
また、本発明に係る携帯情報端末のデータ漏洩防止プログラムは、データ処理装置又は他の携帯情報端末との間で通信を行う通信手段、データを記憶するデータ記憶手段、データ記憶手段からデータを読み出すデータ読出手段、読み出したデータあるいは受信したデータ又は信号に対して所定の演算処理を実行する演算処理手段、及び読み出されあるいは演算処理されたデータを表示し又は出力するデータ出力手段を備え、データ処理装置又は他の携帯情報端末との間でデータを送受信する一方、所定の演算処理を行うとともにデータを表示し又は出力するようにした携帯情報端末において該携帯情報端末を、必要に応じて内部データの漏洩を防止できるように制御するデータ漏洩防止プログラムであって、上記携帯情報端末を、上記通信手段が外部からのデータ漏洩防止信号を受信した時に、上記データ漏洩防止信号に応じて上記データ記憶手段内のデータの消去又は上記データ記憶手段内のデータの読出の禁止のいずれかの動作を選択して実行するデータ漏洩防止手段、として機能させるようになしたことを特徴とする。
【００２７】
さらに、本発明に係る携帯情報端末のデータ漏洩防止プログラムは、データ処理装置又は他の携帯情報端末との間で通信を行う通信手段、データを記憶するデータ記憶手段、データ記憶手段からデータを読み出すデータ読出手段、読み出したデータあるいは受信したデータ又は信号に対して所定の演算処理を実行する演算処理手段、及び読み出されあるいは演算処理されたデータを表示し又は出力するデータ出力手段を備え、データ処理装置又は他の携帯情報端末との間でデータを送受信する一方、所定の演算処理を行うとともにデータを表示し又は出力するようにした携帯情報端末において該携帯情報端末を、必要に応じて内部のデータの漏洩を防止できるように制御するデータ漏洩防止プログラムであって、上記携帯情報端末を、上記通信手段が外部からのデータ漏洩防止信号を受信した時に、上記データ漏洩防止信号に応じて上記データ記憶手段内のデータの消去又は上記データ記憶手段内のデータの表示又は出力の禁止のいずれかの動作を選択して実行するデータ漏洩防止手段、として機能させるようになしたことを特徴とする。
【００２８】
また、本発明に係る携帯情報端末のデータ漏洩防止プログラムは、データ処理装置又は他の携帯情報端末との間で通信を行う通信手段、データを記憶するデータ記憶手段、データ記憶手段からデータを読み出すデータ読出手段、読み出したデータあるいは受信したデータ又は信号に対して所定の演算処理を実行する演算処理手段、及び読み出されあるいは演算処理されたデータを表示し又は出力するデータ出力手段を備え、データ処理装置又は他の携帯情報端末との間でデータを送受信する一方、所定の演算処理を行うとともにデータを表示し又は出力するようにした携帯情報端末において該携帯情報端末を、必要に応じて内部のデータの漏洩を防止できるように制御するデータ漏洩防止プログラムであって、上記携帯情報端末を、上記データ記憶手段内のデータを消去するデータ漏洩防止手段、として機能させるようになしたことを特徴とする。
【００２９】
さらに、本発明に係る携帯情報端末のデータ漏洩防止プログラムは、データ処理装置又は他の携帯情報端末との間で通信を行う通信手段、データを記憶するデータ記憶手段、データ記憶手段からデータを読み出すデータ読出手段、読み出したデータあるいは受信したデータ又は信号に対して所定の演算処理を実行する演算処理手段、及び読み出されあるいは演算処理されたデータを表示し又は出力するデータ出力手段を備え、データ処理装置又は他の携帯情報端末との間でデータを送受信する一方、所定の演算処理を行うとともにデータを表示し又は出力するようにした携帯情報端末において該携帯情報端末を、必要に応じて内部のデータの漏洩を防止できるように制御するデータ漏洩防止プログラムであって、上記携帯情報端末を、上記データ記憶手段内のデータの読出を禁止するデータ漏洩防止手段、として機能させるようになしたことを特徴とする。
【００３０】
また、本発明に係る携帯情報端末のデータ漏洩防止プログラムは、データ処理装置又は他の携帯情報端末との間で通信を行う通信手段、データを記憶するデータ記憶手段、データ記憶手段からデータを読み出すデータ読出手段、読み出したデータあるいは受信したデータ又は信号に対して所定の演算処理を実行する演算処理手段、及び読み出されあるいは演算処理されたデータを表示し又は出力するデータ出力手段を備え、データ処理装置又は他の携帯情報端末との間でデータを送受信する一方、所定の演算処理を行うとともにデータを表示し又は出力するようにした携帯情報端末において該携帯情報端末を、必要に応じて内部のデータの漏洩を防止できるように制御するデータ漏洩防止プログラムであって、上記携帯情報端末を、上記データ記憶手段内のデータの表示又は出力を禁止するデータ漏洩防止手段、として機能させるようになしたことを特徴とする。
【００３１】
本発明に係る携帯情報端末のデータ漏洩防止プログラムは予め携帯情報端末に搭載しておいてもよく、紛失時や盗難時にサーバ等のデータ処理装置から携帯情報端末にダウンロードしてインストールし、実行させるようにしてもよい。
【００３２】
【発明の実施の形態】
以下、本発明を具体例に基づいて詳細に説明する。図１ないし図６は本発明に係る携帯情報端末の好ましい実施形態を示す。図１において、携帯電話（携帯情報端末）１０は本体１１内にＣＰＵ、ＲＡＭ、無線送受信器等の電子デバイス及び電源を内蔵して構成され、本体１１の下半部にはテンキー１２がレイアウトされ、本体１の上半部にはディスプレイ１３が設けられ、又本体１１の下端にはマイク１４が、上端にはスピーカ１５が設けられている。
【００３３】
図２は携帯電話１０の基本的なハード構成の例を示す。図において、携帯電話１０は基本的にはＣＰＵ２０、ＲＡＭ２１、テンキー２２、マイク２３、スピーカ２４、ディスプレイ２５及び通信装置２６から構成されている。
【００３４】
ＲＡＭ２１には携帯電話１０に通話や配信データの処理等の各種の動作を実行させるＯＳ及びアプリケーションプログラム、さらに本例のデータ漏洩防止プログラムが格納され、又知人や取引先の名前や名称、住所や居所、電話番号やＦＡＸ番号、電子メールアドレス等の個人データが記憶されている。
【００３５】
ＣＰＵ２０は通常は通話や配信データの処理を実行し、必要に応じてディスプレイ２６に通話相手の電話番号や通話時間、演算処理の結果を表示するようになっている。
【００３６】
また、ＣＰＵ２０は他の携帯電話（固定電話でもよい）３１から数字列又は文字列又はその組合せからなるデータ漏洩防止信号を受けると、データ漏洩防止信号に基づいてデータの回収・消去、データの消去、データの読出動作の禁止あるいはデータ表示の禁止のいずれかを判定し、判定結果の処理を実行するようになっている。
【００３７】
図３は本例の携帯電話１０における基本的な機能ブロックを示す。携帯電話１０は機能的には通信手段１００、演算処理手段１１０、データ読出・書込手段１２０、データ記憶手段１３０、表示手段１４０、マイク１５０、スピーカ１６０、テンキー１７０及びデータ漏洩防止手段１８０から構成されている。
【００３８】
通信手段１００はＣＰＵ２０及び通信装置２６によって実現される機能手段であって、公衆回線網３１を介して他の携帯電話３０に接続できるとともに、公衆回線網３１及びインターネット回線網３３を介してサーバ（データ処理装置）３２に接続できるようになっている。
【００３９】
演算処理手段１１０はＣＰＵ２０、テンキー２２及びマイク１５０によって実現される機能手段であって、通信手段１００からの信号やデータ、後述のデータ読出・書込手段１２０からの信号やデータ、テンキー１７０からの信号あるいはマイク１５０からの信号に対して所定の演算処理を実行し、通信装置１１０、データ読出・書込手段１２０、データ表示手段１４０又はスピーカ１６０に出力するようになっている。
【００４０】
データ読出・書込手段１２０はＣＰＵ２０によって実現される機能手段であって、テンキー１７０からの信号に応じてデータ記憶手段１３０からデータを読み出して演算処理手段１１０に出力し、あるいはデータ記憶手段１３０データを書き込むようになっている。
【００４１】
また、データ読出・書込手段１２０はデータ漏洩防止信号にデータ回収の指令が含まれている時にはデータ記憶手段１３０からデータを読み出してデータ漏洩防止手段１８０に出力するようになっている。
【００４２】
データ記憶手段１３０はＲＡＭ２１によって構成される機能手段であって、知人や取引先の名前や名称、住所や居所、電話番号やＦＡＸ番号、電子メールアドレス等の個人データが記憶されている。
【００４３】
データ表示手段１４０はディスプレイ２５によって実現される機能手段であって、演算処理手段１１０によって演算処理された各種データを表示するようになっている。
【００４４】
データ漏洩防止手段１８０はＣＰＵ２０によって実現される機能手段であって、通信手段１００でデータ漏洩防止信号を受信すると、そのデータ漏洩防止信号がデータの回収・消去、データの消去、データの読出動作の禁止あるいはデータ表示の禁止のいずれかを判定する。
【００４５】
データの回収・消去の時にはデータ漏洩防止手段１８０はデータ読出・書込手段１２０に信号を与えてデータ記憶手段１３０からデータを読み出させ、その信号を通信手段１００から、データ漏洩防止信号によって特定される携帯電話３０（又は所定のデータ処理装置でもよい）に送信させた後、データ記憶手段１３０内のデータを消去し、又データ消去の時にはデータ記憶手段１３０内のデータを消去するようになっている。
【００４６】
また、データの読出動作の禁止の時にはデータ漏洩防止手段１８０はデータ読出・書込手段１２０に禁止信号を与えてその読出動作を禁止させ、データ表示の禁止の時にはデータ表示手段１４０（及び／又は演算処理手段１１０）に禁止信号を与えて表示動作を禁止させるようになっている。
【００４７】
携帯電話（以下、第１の携帯電話という）１０を紛失しあるいは盗難に遭遇した場合、所有者は他の携帯電話（以下、第２の携帯電話という）３０を用いて紛失又は盗難にあった第１の携帯電話１０を呼び出し、データ漏洩防止信号を送信する。第１の携帯電話１０内の個人データを回収して第１の携帯電話１０内のデータを消去するのか、個人データの回収はさておき、第１の携帯電話１０内の個人データを至急に消去する必要があるのか、あるいは第１の携帯電話１０が手元に戻ってきた時に第１の携帯電話１０を再使用するのかによってデータ漏洩防止信号を選択する。
【００４８】
第１の携帯電話１０内のＣＰＵ２０は所定のタイミングになると、データ漏洩防止処理のルーチン（図５参照）を実行しており、データ漏洩防止信号ａが送信されてくると、それを取り込まれ（ステップＳ１００）、データの回収・消去を意味するデータ漏洩防止信号ａか否かが判定される（ステップＳ１１０）。
【００４９】
データ漏洩防止信号ａがデータの回収・消去を意味する信号である場合、ＣＰＵ２０は第１の携帯電話１０内のＲＡＭ２１から個人データを読み出し（ステップＳ１２０）、これを接続されている第２の携帯電話３０に向けて送信すると（ステップＳ１３０）、個人データは図４に示されるように公衆回線網３２を経て第２の携帯電話３０で受信され、第２の携帯電話３０内のＲＡＭに回収され、その後ＣＰＵ２０はＲＡＭ２１内のデータを消去する（ステップＳ１４０）。
【００５０】
データ漏洩防止信号ａがデータの消去を意味する信号である場合（ステップＳ１５０）、ＣＰＵ２０はデータ漏洩防止信号ａを受信すると直ちにＲＡＭ２１内のデータを消去する（ステップＳ１６０）。
【００５１】
データ漏洩防止信号ａがデータの読出動作の禁止を意味する信号である場合（ステップＳ１７０）、ＣＰＵ２０はデータ漏洩防止信号ａを受信すると、ＲＡＭ２１からのデータ読み出しに関連する処理を停止する（ステップＳ１８０）。
【００５２】
データ漏洩防止信号ａが表示動作の禁止を意味する信号である場合、ＣＰＵ２０はディスプレイ２５の電源を遮断するか又は読み出したデータのディスプレイ２５への出力を停止するという処理を実行し、ディスプレイ２５にデータが表示されるのを禁止する（ステップＳ１９０）。
【００５３】
ところで、データ漏洩防止プログラムが第１の携帯電話１０にインストールされていない場合には上述のような処理ができない。しかし、本例のデータ漏洩防止プログラムは比較的短いプログラムで済むので、紛失し又は盗難にあった携帯電話にデータ配信の形式がダウンロードすることによって対応が可能である。
【００５４】
即ち、第１の携帯電話１０を紛失しあるいは盗難に遭遇した場合、第６図に示されるように、所有者は第２の携帯電話３０を用いてデータ漏洩防止プログラムを格納している運営サーバ３２に接続する（ステップＳ２００）。運営サーバ３２にはデータの消去を処理するプログラムと、ディスプレイの表示禁止を処理するプログラムが格納されており、いずれのプログラムをダウンロートするかを選択するための選択画面のデータを第２の携帯電話３０に送信する（ステップＳ３００）。
【００５５】
第２の携帯電話３０は選択画面のデータを受信すると、ディスプレイには選択画面が表示されるので、テンキーを用いていずれのプログラムを使用するかを選択するとともに、第１の携帯電話１０の接続情報、即ち電話番号を入力し、送信を実行すると（ステップＳ２１０、Ｓ２２０）、運営サーバ３２は第１の携帯電話１０を呼び出し、選択した１つのプログラムデータをダウンロードする（ステップＳ３１０）。
【００５６】
第１の携帯電話１０はプログラムデータを受信すると、それをＲＡＭ２１に取り込んでインストールし（ステップＳ４００）、プログラムデータは実行可能な形式に展開され、第１の携帯電話１０のＣＰＵ２０はデータ漏洩防止プログラムを実行し、データ消去の場合にはＲＡＭ２１内の個人データを消去する（ステップＳ４１０、Ｓ４２０）、データ表示禁止の場合にはＣＰＵ２０はディスプレイ２５の電源を遮断するか又は読み出したデータのディスプレイ２５への出力を停止するという処理を実行し、ディスプレイ２５にデータが表示されるのを禁止する（ステップＳ４３０）。
【図面の簡単な説明】
【図１】本発明に係る携帯情報端末の好ましい実施形態における全体概略構成を示す図である。
【図２】上記実施形態における基本的な構成を示す図である。
【図３】上記実施形態における制御処理を示す機能ブロック図である。
【図４】上記実施形態におけるデータ漏洩防止を実行するシステム全体の構成例を示す図である。
【図５】上記実施携帯における制御処理の概念を示すフローチャート図である。
【図６】上記実施携帯におけるシステムの制御処理の概念を示すフローチャート図である。
【符号の説明】
１０        携帯電話（携帯情報端末）
２０        ＣＰＵ
２１        ＲＡＭ
２２        テンキー
２３        マイク
２４        スピーカ
２５        ディスプレイ
２６        通信装置
３０        携帯電話（他の携帯情報端末）
３２        運営サーバ（データ処理装置）
１００      通信手段
１１０      演算処理手段
１２０      データ読出・書込手段（データ読出手段）
１３０      データ記憶手段
１４０      データ表示手段
１８０      データ漏洩防止手段
【図１】
2004201043.tif 000003
【図２】
2004201043.tif 000004
【図３】
2004201043.tif 000005
【図４】
2004201043.tif 000006
【図５】
2004201043.tif 000007
【図６】
2004201043.tif 000008